(57)【要約】　　　（修正有）【課題】全体構造を強化し、接触不良を防ぎ、かつ電磁波の外部への照射を抑制できる気体充填式の高輝度放電ランプを提供する。【解決手段】上面を開口状に形成してソケット部３１とし、該ソケット部の中央の位置には垂直方向に貫通する貫通孔を形成してなるランプ支持座３０と、該ランプを内包し一体形成してなり、該ランプ支持座に嵌挿するランプカバー６０とによってなる高輝度放電ランプ１０において、該ソケット部上にはリング状の上蓋３２を設け、該貫通孔は内壁に段差を形成して管状のパッキング３３を嵌挿し、該ランプカバー内に形成されるランプは、略中央の位置に正電極５０１と負電極５０２の一端を設けてなる発光部を形成し、一方の電極がランプカバーを貫通して外部に至り折り曲げられ、該ランプ支持座上に該ランプカバーと平行して設けられるスリーブ７０内に至り、接点を介してリード４０に電気的に接続する。【選択図】　　図２
0003098501.tif 000002
【実用新案登録請求の範囲】
【請求項１】
上面を開口状に形成してソケット部とし、該ソケット部の中央の位置には垂直方向に貫通する貫通孔を形成してなるランプ支持座と、該ランプを内包し一体形成してなり、該ランプ支持座に嵌挿するランプカバーとによってなる高輝度放電ランプにおいて、
該ソケット部上にはリング状の上蓋を設け、該貫通孔は内壁に段差を形成し、下方に向かって内径が狭くなるように形成するとともに、該段差部に管状のパッキングを嵌挿し、
該ランプカバー内に形成されるランプは、略中央の位置に正電極と負電極の一端を設けてなる発光部を形成してなり、一方の電極がランプカバーを貫通して外部に至り、折り曲げられて、該ランプ支持座上に該ランプカバーと平行して設けられるスリーブ内に至り、接点を介してリードに電気的に接続することを特徴とする気体充填式高輝度放電ランプ。
【請求項２】
前記スリーブは、テフロンで形成する内層と、セラミックで形成する外層とによってなる二重構造で電磁波を遮断するように構成することを特徴とする請求項１に記載の気体充填式高輝度放電ランプ。
【請求項３】
前記ランプには、特定の気体を充填する密閉空間を形成することを特徴とする請求項１に記載の気体充填式高輝度放電ランプ。
【考案の詳細な説明】
【０００１】
【考案の属する技術分野】
この考案は、ランプに気体を充填してなる高輝度放電ランプの構造に関する。
【０００２】
【従来の技術】
照明具の大手製造業者は、早くから高輝度放電（Ｈｉｇｈ　Ｉｎｔｅｎｓｉｔｙ　Ｄｉｓｃｈａｒｇｅ：ＨＩＤ）の研究開発に多大な人力を投入している。ＰＨＩＬＩＰＳ　Ｅｌｅｃｔｒｏｎｉｃｓ　Ｎ．Ｖ．の台湾特許公告第２２５３３８号には、
図７に開示する「ランプカバーを有する高圧放電灯」に関する技術が開示されている。図面によれば、該特許による高圧放電灯は、ランプ部と、該ランプを支持するランプ支持部とによってなる。
【０００３】
ランプ部は、第１ネック部（８０１）及び第２ネック部（８０２）が形成され、イオン化した気体を充填して密封した円柱状のランプ（８０）と、ランプ（８０）内に設けられる一対の電極（８０３）と、一端が一対の電極（８０３）にそれぞれ接続する２本のリード（８０４）と、ランプ（８０）と同心円の管状に形成され、ランプ（８０）に対して所定の間隔を置いてランプ（８０）を内部に収納するランプカバー（８０５）とによって構成し、ランプカバー（８０５）は内部に空気を充填して密封する。
【０００４】
ランプ支持部は、ランプ支持座（９０）と、ランプ支持座（９０）の上面に対して垂直に設けるリード支柱（９０３）と、該アーム支柱（９０３）の上端に接続する導電アーム（９０４）と、ランプ支持座（９０）の底面に設けられる第１コンタクト部材（９０２）、第２コンタクト部材（９００）及び電源接続部（９０１）とによって構成される。
【０００５】
前記２本のリード（８０４）は、それぞれ一端が電極（８０３）に電気的に接続し、一方のリード（８０４）は第１ネック部（８０１）と、ランプカバー（８０５）の端縁部を通過して外部に延伸し、接点（９０５）において導電アームに溶着して電気的に接続する。さらに、導電アーム（９０４）からアーム支柱（９０３）内部を通過して第１コンタクト部材（９０２）に至り、かつ電源接続部（９０１）に電気的に接続して電気の通路を形成する。また、他方のリード（８０４’）は第２ネック部（８０２）を通過し、ランプ支持座（９０）内を通過して第２コンタクト部（９００）に電気的に至り、かつ電源接続部（９０１）に電気的に接続して電気の通路を形成する。
【０００６】
以上の構成による高圧放電灯は、リード（８０４）と導電アーム（９０４）が十字状に交叉し、交叉点を溶着して接点（９０５）とする。かかる接続方法は振動など外部からの衝撃を受けると、接続構造が容易に破壊され、接触不良を招くことがある。また、何らこれを防ぐための補強構造もない。さらに、高輝度放電を達成するためにランプ（８０）には特定の気体を充填して密封するため、より製造しやすく、強度が補強された構造が望まれている。
【０００７】
【考案が解決しようとする課題】
この考案は、全体構造の高度を強化し、接触不良の発生を防ぐことのできる気体充填式の高輝度放電ランプを提供することを課題とする。
【０００８】
また、この考案は電磁波の外部への照射を抑制できるに気体充填式の高輝度放電ランプを提供することを課題とする。
【０００９】
【課題を解決するための手段】
そこで、本考案者は従来の技術に見られる欠点に鑑み鋭意研究を重ねた結果、上面を開口状に形成してソケット部とし、該ソケット部の中央の位置には垂直方向に貫通する貫通孔を形成してなるランプ支持座と、該ランプを内包し一体形成してなり、該ランプ支持座に嵌挿するランプカバーとによってなる高輝度放電ランプにおいて、該ソケット部上にはリング状の上蓋を設け、該貫通孔は内壁に段差を形成し、下方に向かって内径が狭くなるように形成するとともに、該段差部に管状のパッキングを嵌挿し、該ランプカバー内に形成されるランプは、略中央の位置に正電極と負電極の一端を設けてなる発光部を形成してなり、該正電極、もしくは負電極はランプカバーを貫通して外部に至り、折り曲げられて、該ランプ支持座上に該ランプカバーと平行して設けられるスリーブ内に至り、接点を介してリードに電気的に接続する構造によって課題を解決できる点に着眼し、かかる知見に基づいて本考案を完成させた。
【００１０】
即ち、ランプを内包させて一体にランプカバーを形成するとともに、電極とリードの接点を、電磁波遮断効果を有するスリーブ内に設ける構造によって、この考案の課題を解決できる気体充填式の高輝度放電ランプが得られる。
【００１１】
以下、この考案について具体的に説明する。
請求項１に記載する気体充填式高輝度放電ランプは、上面を開口状に形成してソケット部とし、該ソケット部の中央の位置には垂直方向に貫通する貫通孔を形成してなるランプ支持座と、該ランプを内包し一体形成してなり、該ランプ支持座に嵌挿するランプカバーとによってなる高輝度放電ランプにおいて、
該ソケット部上にはリング状の上蓋を設け、該貫通孔は内壁に段差を形成し、下方に向かって内径が狭くなるように形成するとともに、該段差部に管状のパッキングを嵌挿し、
該ランプカバー内に形成されるランプは、略中央の位置に正電極と負電極の一端を設けてなる発光部を形成してなり、一方の電極がランプカバーを貫通して外部に至り、折り曲げられて、該ランプ支持座上に該ランプカバーと平行して設けられるスリーブ内に至り、接点を介してリードに電気的に接続する。
【００１２】
請求項２に記載する気体充填式高輝度放電ランプは、請求項１におけるスリーブが、テフロンで形成する内層と、セラミックで形成する外層とによってなる二重構造で電磁波を遮断するように構成する。
【００１３】
請求項３に記載する気体充填式高輝度放電ランプは、請求項１におけるランプ内に、特定の気体を充填する密閉空間を形成する。
【００１４】
【考案の実施の形態】
この考案は、ランプに気体を充填してなる高輝度放電ランプを提供するものであって、ランプカバーと、該ランプカバーを嵌挿するランプ支持座とによって構成し、かつランプを内包させて一体にランプカバーを形成するとともに、電極とリードの接点を、電磁波遮断効果を有するスリーブ内に設けて構成する。
かかる気体充填式の高輝度放電ランプの構造と特徴を詳述するために、具体的な実施例を挙げ、図示を参照にして以下に説明する。
【００１５】
【実施例】
図１、２に開示するように、この考案による気体充填式高輝度放電ランプ（１０）は、ランプ支持座（３０）と、ランプ（５０）を内包するランプカバー（６０）とによってなる。ランプ支持座（３０）は、上面を開口状に形成してソケット部（３１）とし、該ソケット部（３１）の中央の位置にはランプ支持座（３０）を垂直方向に貫通する貫通孔を形成し、ソケット部（３１）上にはリング状の上蓋（３２）を設ける。また、該貫通孔は内壁に段差を形成し、下方に向かって内径が狭くなるように形成するとともに、該段差部に管状のパッキング（３３）を嵌挿する。
【００１６】
ランプカバー（６０）は、底端から延伸する嵌着端縁部（６０２）を一体に形成してなり、該嵌着端縁部（６０２）をソケット部（３１）の貫通孔に嵌着してソケット部（３１）に固定する。
【００１７】
また、ランプカバー（６０）は図３、４、５に開示するように、ランプ（５０）を内包して一体に形成される。ランプ（５０）は、特定の気体を充填する密閉空間（５０４）を形成し、略中央の位置に発光部（５０３）を形成する。発光部（５０３）には正電極（５０１）と負電極（５０２）の一端を設けてなり、正電極（５０１）はランプカバー（６０）を貫通して外部に至り、９０°に２回折り曲げられて、ランプ支持座（３０）上にランプカバー（６０）と平行して設けられるスリーブ（７０）内に至り、接点（４０１）に電気的に接続する。接点（４０１）の他端には、リード（４０）の一端を電気的に接続する。リード（４０）は、スリーブ（７０）内を通過し、上蓋（３２）に穿設した孔部と、ランプ支持座（３０）に別途形成した貫通孔を通過して外面に至る。
【００１８】
スリーブ（７０）は電磁が透過しない材質によってなる二重構造の管体であって、内層（７０１）は、例えばテフロンなどで形成し、外装（７０２）は、例えばセラミックなどで形成し、正電極（５０１）と接点（４０１）とリード（４０）を支持し、保護を与える作用を有する。
【００１９】
また、負電極（５０２）はランプカバー（６０）の嵌着端縁部（６０２）を貫通し、外部に延伸するように形成される。
【００２０】
ランプカバー（６０）は、抗紫外線効果を具え、ランプ（５０）が紫外線を受けて亀裂することを防ぐとともに、外部からの衝撃を緩衝し、ランプ（５０）を保護する作用を有する。その外面には金属遮蔽層（２０）を設ける。金属遮蔽層（２０）は、金属材をプレス成形し、湾曲させてランプカバー（６０）の外周面に設ける。また、金属遮蔽層（２０）はランプカバー（６０）を保護する作用以外に発光部（５０３）から発生する光線を反射作用によって同一方向に照射させる作用を有する。
【００２１】
また、ランプ支持座（３０）の外周面には係合突起（３４）を設け、ランプカバー（６０）を設けたランプ支持座（３０）を他の装置に取付ける場合の便宜を図るようにする。
【００２２】
また、ランプラバーの遮蔽層（２０）は、図６に開示する遮蔽層（２１）の形式にしてもよい。即ち、同様に金属材をプレス成型によって形成するが、ランプ（５０）の発光部（５３０）の位置のみを覆う遮蔽部（２２１）を具え、金属材を節約した形式にして、同様に発光部（５３０）から発生する光線を反射作用によって同一方向に照射させる効果を達成することができる。
【００２３】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【００２４】
【考案の効果】
この考案による気体充填式高輝度放電ランプは、全体構造を強化し、外部からの力などによる接触不良の発生を防ぐことができるとともに、電磁波の外部への照射を効率よく遮断する効果を具える。
【図面の簡単な説明】
【図１】この考案による気体充填式高輝度放電ランプの斜視図である。
【図２】図１に開示する気体充填式高輝度放電ランプの分解図である。
【図３】図１に開示する気体充填式高輝度放電ランプの側面図である。
【図４】図１に開示する気体充填式高輝度放電ランプの底面図である。
【図５】図１に開示するＡ−Ａ線に沿った断面図である。
【図６】他の実施態様による気体充填式高輝度放電ランプの側面図である。
【図７】従来の気体充填式高輝度放電ランプの一部きり欠き側面図である。
【符号の説明】
１０　　ランプ
２０　　金属遮蔽層
３０　　ランプ支持座
３１　　ソケット部
３２　　上蓋
３３　　パッキング
３４　　係合突起
４０　　リード
４０１　　接点
５０　　ランプ
５０１　　正電極
５０２　　負電極
５０３　　発光部
５０４　　密閉空間
６０　　ランプカバー
６０２　　嵌着端縁部
７０　　スリーブ
７０１　　内層
７０２　　外層
８０　　ランプ
８０１　　第１ネック部
８０２　　第２ネック部
８０３　　電極
８０４　　リード
８０４’　リード
８０５　　ランプカバー
９０　　ランプ支持座
９００　　第２コンタクト部材
９０１　　電源接続部
９０２　　第１コンタクト部材
９０３　　アーム支柱
９０４　　導電アーム
９０５　　接点
【図１】
0003098501.tif 000003
【図２】
0003098501.tif 000004
【図３】
0003098501.tif 000005
【図４】
0003098501.tif 000006
【図５】
0003098501.tif 000007
【図６】
0003098501.tif 000008
【図７】
0003098501.tif 000009